(57)【特許請求の範囲】
【請求項１】
少なくとも支柱とこの支柱によって支持されている棚板とを有する複数の電動式移動棚が収束離散可能に置き並べられてなる電動式移動棚システムを構成する個々の上記電動式移動棚において、
移動棚間に作業通路を形成するための指令信号を出力するとともに内蔵する発光素子の点灯状態により移動棚の動作状態を表示する照光式操作部材と、
上記照光式操作部材とともに上記移動棚に取り付けられ、上記照光式操作部材の上記発光素子の明滅にしたがって明滅する操作部材カバーと、を有し、
上記操作部材カバーは、その壁の一部が、上記移動棚の奥行き方向前側においては前側の支柱面よりも前側に、上記移動棚の奥行き方向後ろ側においては後ろ側の支柱面よりも後ろ側に進出していて、これらの前側および後ろ側への進出部分を、移動棚間に形成されている作業通路内から視認可能とした電動式移動棚。
【請求項２】
電動式移動棚は側板の一部をなす支持パネルを有し、この支持パネルに操作部材カバーとともに照光式操作部材が取り付けられている請求項１記載の電動式移動棚。
【請求項３】
支持パネルは、移動棚の側板に正対して左右両端部に切除部を有し、この切除部を埋めて操作部材カバーが取り付けられている請求項２記載の電動式移動棚。
【請求項４】
支持パネルは、移動棚の側板に正対して左右両端部に棚の内側に向かって折り返し部を有し、この折り返し部と、この折り返し部と重なる支持パネル本体部分にそれぞれ切除部を有し、これらの切除部を埋めて操作部材カバーが取り付けられている請求項２または３記載の電動式移動棚。
【請求項５】
操作部材カバーは、支持パネルの折り返し部に形成されている切除部を埋める壁と、支持パネル本体部分の切除部の切断縁に接する接触縁と、上記壁と上記接触縁をつなぐ上下の傾斜壁と、を有している請求項２，３または４記載の電動式移動棚。
【請求項６】
操作部材カバーはさらに、上下の傾斜壁をつなぐ垂直方向の壁であって、支持パネルの折り返し部に形成されている切除部を埋める壁と支持パネル本体部分の切除部の切断縁に接する接触縁とをつなぐ操作部材支持壁を有している請求項５記載の電動式移動棚。
【請求項７】
操作部材カバーの操作部材支持壁は、照光式操作部材の操作面が斜め外側方を向くように水平面内での傾きを持っている請求項６記載の電動式移動棚。
【請求項８】
照光式操作部材の操作部は、支持パネルの折り返し部に形成されている切除部を埋める壁と、この壁と上記支持パネル本体部分の切除部に接する接触縁とをつなぐ上下の傾斜壁と、操作部材支持壁とで形成される操作部材カバーの窪み内に位置している請求項７記載の電動式移動棚。
【請求項９】
操作部材カバーは、内部を乱反射させながら照光式操作部材の発光素子から放射される光を伝達し、上記照光式操作部材の明滅にしたがって明滅する請求項１乃至８のいずれかに記載の電動式移動棚。
【発明の詳細な説明】
【技術分野】
【０００１】
本発明は電動式移動棚に関するもので、特に、電動式移動棚の照光式操作スイッチの構成に関するものである。
【背景技術】
【０００２】
電動式移動棚は、電動モータを駆動源として移動可能な棚である。電動式移動棚は、これを複数台並置することにより電動式移動棚システムとして構成すると、全ての電動式移動棚が収束した状態と、少なくとも一つの移動棚間に作業用の通路を形成した状態とをとることができる。
【０００３】
従来一般の電動式移動棚システムは、特定の位置に作業通路を形成すべき旨の指令信号が出力されると、そのときの作業通路位置と各移動棚の位置関係から、制御回路が移動すべき移動棚と移動すべき向きを判断し、この判断のもとに移動棚の移動を制御するように構成されている。上記特定の位置に作業通路を形成すべき旨の指令信号は、各電動式移動棚に設けられている一つの操作スイッチまたは各電動式移動棚の側板の左右にそれぞれ設けられている操作スイッチを選択操作することによって出力される。
【０００４】
本出願人は、従来一般の電動式移動棚システムとは異なる独特の制御方式の電動式移動棚に関して特許権を取得した。特許文献１記載の発明はその例で、各移動棚に右行き操作スイッチおよび左行き操作スイッチを設け、右行きまたは左行き操作スイッチを操作している間はその移動棚が右または左に移動するようにモータを駆動し、操作スイッチの操作を止めるとモータが停止して移動棚が停止するようにしたものである。特許文献１記載の電動式移動棚によれば、移動させるべき移動棚の選択およびその移動方向の選択を、操作する人間の判断によって決定するものであるため、回路構成がきわめて簡単になる利点がある。
【０００５】
本出願人はまた、特許文献１記載の電動式移動棚に適した操作スイッチの構造を発明し、独特の構造の操作スイッチを備えた電動式移動棚について特許権を取得した（特許文献２参照）。特許文献２記載の発明は、移動棚の側板に窪みを設け、この窪みに右行き操作スイッチおよび左行き操作スイッチを設け、右行き操作スイッチおよび左行き操作スイッチは、その操作面が斜め外側方を向くように、側板面に直交する垂直面に対し水平面内において回転した姿勢で取り付け、各操作スイッチは全体が上記窪みの中にあることを特徴としている。
【０００６】
電動式移動棚システムの制御形式が、上に述べた従来一般の制御方式であるか特許文献１に記載されているような独特の制御方式であるかに関わらず、動作状態ないしは動作モードを表示する必要がある。動作状態ないしは動作モードには、操作スイッチが操作されて少なくとも一つの移動棚が移動中であること、移動棚の移動が終了してインターロックがかかっていること、インターロックが解除されて待機状態にあること、棚間に異物が存在していることが検出されて異常状態にあること、などがある。これらの動作状態ないしは動作モードが表示され、この表示が操作者（オペレータ）に伝わる必要がある。
【０００７】
そこで、電動式移動棚には、動作状態ないしは動作モードを表示する表示部が設けられている。上記表示部の一般的なものは、各移動棚の側板、すなわち物品の出し入れをする間口面に対し直角な側面に固着してある板に専用の表示灯を設け、この表示灯の連続点灯、点滅、点灯色の切り換え、消灯などによって動作状態ないしは動作モードを表示するようにしたものである。
【０００８】
また、各移動棚の側板に設けられている操作スイッチに照光表示器を兼用させ、照光表示器の点灯状態で、移動棚が移動中であるか、通路が形成されてロックがかかった状態であるかを表示するようにした電動式移動棚の操作装置が知られている（特許文献３参照）。
【先行技術文献】
【特許文献】
【０００９】
【特許文献１】特許第３５６０５２９号公報
【特許文献２】特許第３７５５７３５号公報
【特許文献３】特開２００３−３３９４５６号公報
【発明の概要】
【発明が解決しようとする課題】
【００１０】
電動式移動棚における動作状態ないしは動作モードの表示は、操作者がどこにいても視認できることが望ましい。しかしながら、棚間に形成されている作業通路に入って作業を行っている場合、従来のように移動棚の側板に専用の表示部あるいは照光表示器兼用操作スイッチを設けたものにおいては、上記表示部あるいは照光表示器を視認することができない。したがって、例えば、棚間に通路を形成することによってインターロックがかかったことを確認して通路に入り、作業をしている間に他の作業者がインターロックを解除したとすると、このロック解除を通路内の作業者は視認することができず、通路内の作業者の予期していたことに反して移動棚が移動し始めることがあり得る。
【００１１】
また、特許文献２記載の発明のような、各操作スイッチ全体を移動棚の側板の窪みの中に配置し、かつ、上記各操作スイッチに、特許文献３記載の発明のように照光表示器を兼用させたとしても、上記照光表示器の点灯状態を作業通路内から視認することができない。また、操作スイッチ全体を移動棚の側板の窪みの中に配置しているため、操作スイッチの視認位置が側板面に近くかつ上記視認方向が側板の面と平行に近くなればなるほど上記照光表示器の点灯状態を視認しにくくなる。
【００１２】
本発明は、以上述べたような従来技術の問題点を解消すること、すなわち、作業通路内からも、また、視認位置が側板の面に近くかつ視認方向が側板の面と平行に近くなっても、照光式操作スイッチの点灯状態を視認することができる電動式移動棚を提供することを目的とする。
【課題を解決するための手段】
【００１３】
本発明は、
少なくとも支柱とこの支柱によって支持されている棚板とを有する複数の電動式移動棚が収束離散可能に置き並べられてなる電動式移動棚システムを構成する個々の上記電動式移動棚において、
移動棚間に作業通路を形成するための指令信号を出力するとともに内蔵する発光素子の点灯状態により移動棚の動作状態を表示する照光式操作部材と、
上記照光式操作部材とともに上記移動棚に取り付けられ、上記照光式操作部材の上記発光素子の明滅にしたがって明滅する操作部材カバーと、を有し、
上記操作部材カバーは、その壁の一部が、上記移動棚の奥行き方向前側においては前側の支柱面よりも前側に、上記移動棚の奥行き方向後ろ側においては後ろ側の支柱面よりも後ろ側に進出していて、これらの前側および後ろ側への進出部分を、移動棚間に形成されている作業通路内から視認可能とした
ことを最も主要な特徴とする。
【発明の効果】
【００１４】
照光式操作部材が点灯すると、照光式操作部材から光が放射されると、操作部材カバーが明るくなる。操作部材カバーは、その壁の一部が移動棚の前後の支柱の面よりも前側および後ろ側に進出しているため、この前側および後ろ側への操作部材カバーの進出部分を、移動棚間に形成されている作業通路内から視認することができる。照光式操作部材の明滅状態で電動式移動棚の動作状態などを表示することができ、照光式操作部材の明滅とともに操作部材カバーも明滅するため、作業通路内の操作者は操作部材カバーの明滅によって電動式移動棚の動作状態などを視認することができる。
【図面の簡単な説明】
【００１５】
【図１】本発明に係る電動式移動棚の一実施例の主要部を、一部を分解し移動棚の間口面方向から俯瞰して示す斜視図である。
【図２】上記主要部の構成を移動棚の内面側から見た拡大分解斜視図である。
【図３】上記主要部の外観を移動棚の側面側から見た斜視図である。
【図４】本発明に係る電動式移動棚の別の実施例の主要部を移動棚の側面側から見た斜視図である。
【発明を実施するための形態】
【実施例】
【００１６】
以下、本発明に係る電動式移動棚の実施例について図面を参照しながら説明する。
【実施例１】
【００１７】
図１は、本発明の主要部をなす照光式操作部材を含む電動式移動棚の一部を示している。図１において、電動式移動棚の骨格は、主として底部の台枠（図示されず）と、この台枠に立てられた複数の支柱１と、各支柱１の上端部に結合された天板２によって構成されている。移動棚に対して物品の出し入れを行う面を間口面、間口面に直交する方向を奥行き方向とすると、図示の例では、間口面に向かって左右方向の端部に、奥行き方向の前と後ろおよび中央にそれぞれ支柱１が立てられている。支柱１は間口方向にも一定の間隔で立てられている。支柱１による間口方向の区切りを「連」といい、「連」の数は、移動棚の仕様によって「１」の場合もあり、「２」以上ある場合もある。
【００１８】
間口方向に一定間隔をおいて立てられている支柱１相互間に、棚板３が、「袖板」と称する棚板支持部材４を介して支持されている。各支柱３には上下方向に一定間隔で棚板支持部材４を掛け止めるための孔が形成されていて、所望の高さ位置にある上記孔を選択して棚板支持部材４が掛け止められている。この棚板支持部材４に棚板３の端部が載せられることによって棚板３が所望の高さ位置で支持されている。棚板３は、上下方向に任意の高さ位置で任意の段数に配置することができる。
【００１９】
移動棚の間口方向から見て左右方向の一端には、図２に示すような取り付け構造によって操作部材が組み込まれている。図２において、横長の長方形状の部材は操作部の支持パネル５であって、支持パネル５は金属板などで製作され、プレス成形などによって長さ方向両端部に、棚の内側に向かって折り返し部５１が形成されている。この両端部の折り返し部５１が、移動棚の奥行き方向前後の支柱１の外側面に対向している。
【００２０】
図１、図３に示すように、支持パネル５は、上下方向から上側板６と下側板７で挟み込まれている。図２に示すように、支持パネル５は、上下の縁部が折り曲げ上縁部５２と折り曲げ下縁部５３になっていて、これらの折り曲げ縁部５２，５３が、上側板６の折り曲げ下縁部と下側板７の折り曲げ上縁部にそれぞれボルトとナットなどによって互いに連結されている。互いに連結されている上側板６と支持パネル５と下側板７とで移動棚の側板を構成していて、この側板が、移動棚の奥行き方向前後の支柱１の外側面にボルトとナットなどの適宜の締結部材によって固定されている。
【００２１】
上記側板は、移動棚の奥行き方向前後の端縁部が前後の支柱１の面よりも前側および後ろ側に進出している。したがって、支持パネル５の前後の端部も、前後の支柱１の面よりも前側および後ろ側に進出している。支持パネル５の前後の端部すなわち上記側板に正対して左右の端部に、照光式操作部材として照光式操作スイッチが組み込まれている。
【００２２】
図２において、支持パネル５の長さ方向両端部の折り返し部５１には台形状の切除部５４が形成されている。切除部５４は、支持パネル５の長さ方向端面から奥方に向かって連続的に狭まるように上下が斜めの線に沿って切断され、かつ、上下の斜めの線の交点に至る前の位置で上下方向の線に沿って切断されることにより横向きの台形状になっている。上記折り返し部５１が所定の間隔をおいて重なり合っている支持パネル５の本体部分にも、図３に示すように切除部５４とほぼ同じ大きさのＶ字形の切除部５５が形成されている。
【００２３】
上記切除部５４を埋め、かつ、上記切除部５５の切断縁に接することにより、これらの切除部５４、５５を塞ぐ操作部材カバー８が配置されている。操作部材カバー８は例えば樹脂からなり、任意の箇所から光が入射すると、内部を乱反射しながら進行し、パネル全体が光っているように見える特性を備えているパネルである。操作部材カバー８は立体的に成形され、切除部５４に嵌る横向きの台形状の奥側の壁８１と、Ｖ字形の切除部５５の切断縁に接する接触縁８２と、これらの壁８１と接触縁８２をつなぐ上側傾斜壁８３と下側傾斜壁８４を有している。
【００２４】
操作部材カバー８はまた、上側傾斜壁８３と下側傾斜壁８４をつなぐ垂直方向の壁であって、上記奥側の壁８１とＶ字形の上記接触縁８２をつなぎ、かつ、上面側から見て移動棚の間口面に対して傾きを持った操作部材支持壁８５が一体に成形されている。上記操作部材支持壁８５には、操作ボタン９の円筒形状の軸部９１を挿入することができる孔が形成されている。操作ボタン９の頭部は直方体になっていて、上記操作部材支持壁８５の上記孔の周囲には操作ボタン９の頭部を受け入れる四角形の凹陥部が形成され、操作ボタン９の回り止めになっている。操作ボタン９は、透明樹脂あるいは光拡散性樹脂で製作されている。操作ボタン９の軸部９１の外周には雄ねじが形成されている。操作ボタン９の頭部は、ベースとこのベースに対して進退可能な押圧部を有してなり、この押圧部を押圧操作することにより、照光式スイッチ１３を動作させるようになっている。
【００２５】
支持パネル５の長さ方向両端部に嵌められている操作部材カバー８の上記操作部材支持壁８５は、それぞれ斜め外側に向くように、側板の面に直交する方向の垂直面に対し水平面内において回転した姿勢で取り付けられている。したがって、上記支持壁８５に取り付けられる照光式操作スイッチ１３の操作部材である操作ボタン９の操作面が、斜め外側方を向くように水平面内での傾きを持っている。上記操作部材支持壁８５の面が、側板の面に直交する方向の垂直面よりも斜め外側方を向くことにより、そこに取り付けられている操作ボタン９の操作面も斜め外側に向き、操作ボタン９の操作性が高められている。
【００２６】
操作部材カバー８は、支持パネル５の折り返し部５１とこれに重なる支持パネル５の本体部分にそれぞれ切除部５４と切除部５５が形成されることにより支持パネル５の長手方向両端部に生じている比較的大きな開口を塞いでいる。操作部材カバー８の支持パネル５との接触縁部にはリブが形成されて、操作部材カバー８と支持パネル５とが密接に接するように考慮されている。
【００２７】
操作部材カバー８は、支持パネル５の折り返し部５１に形成されている切除部５４を埋める壁８１と、この壁８１と上記支持パネル５の本体部分の切除部５５に接する接触縁８２とをつなぐ上下の傾斜壁８３，８４と、操作部材支持壁８５とで形成された窪みを有している。この操作部材カバー８の窪み内に、照光式操作スイッチ１３の操作ボタン９が位置している。
【００２８】
上記操作部材支持壁８５の外側縁部と上下の傾斜壁８３，８４の外側縁部とで三角形の表示面８７が形成されている。表示面８７は支持パネル５の外側面と略同じ面に位置していて、照光式操作スイッチ１３の明滅にしたがって表示面８７も明滅するようになっている。
【００２９】
図２に示すように、操作ボタン９の軸部９１は操作部材カバー８の上記孔を貫通し、さらに、操作部材支持体１０の垂直片１０１に形成されている円形の孔１０２を貫通し、上記軸部９１の雄ねじに円形のナット１２がねじ込まれている。ナット１２が操作ボタン９の軸部９１に締めつけられることにより、操作ボタン９とナット１２の間に操作部材カバー８と操作部材支持体１０が挟み込まれ、これらの部材が一体的に結合されている。さらに、操作ボタン９の軸部９１は空心になっていて、この空心に照光式スイッチ１３の操作部１３１が嵌め込まれている。照光式スイッチ１３の本体部分は、一般的にはマイクロスイッチといわれるスナップアクションスイッチであり、操作部１３１にはスイッチ１３の動作状態を光の点灯、消灯、点滅などで表示することができる発光素子が組み込まれている。
【００３０】
上記操作部１３１に組み込まれている発光素子が点灯すると、発光素子から放射される光が、操作部１３１から操作ボタン９の軸部９１に入射し、この軸部９１内を乱反射しながら操作ボタン９に伝達され、操作ボタン９から光が放射される。操作ボタン９の軸部９１内を伝達され、また、操作ボタン９から放射される光の一部は操作部材カバー８に伝達され、操作部材カバー８内を光が乱反射しながら伝達されることにより、操作部材カバー８全体から光が放射される。
【００３１】
操作部材支持体１０は、上記垂直片１０１を有するとともに、垂直片１０１の上下端部に折り曲げ部１０３が同じ向きに、したがって互いに対向させて形成されている。操作部材支持体１０は、上下の折り曲げ部１０３を支持パネル５の内側面に沿わせて配置されている。上記垂直片１０１は、上記折り曲げ部１０３に対して、前記操作部材カバー８の操作部材支持壁８５の前記側板面に直交する方向の垂直面に対し水平面内における回転角度に見合った角度だけ傾けて形成されている。したがって、上記垂直片１０１と操作部材カバー８の操作部材支持壁８５が密着し、照光式スイッチ１３と操作ボタン９が、上記垂直片１０１と操作部材支持壁８５の傾き角度に合わせて、斜めに水平面内において回転した姿勢で取り付けられている。
【００３２】
操作ボタン９の軸部９１にナット１２がねじ込まれることにより一体化された操作ボタン９と、操作部材カバー８と、操作部材支持体１０と、操作部１３１が操作ボタン９の軸部９１に嵌め込まれている照光式スイッチ１３とで操作部ユニットを構成している。操作部ユニットは上下が対称形に形成され、垂直面内で互いに上下反転した操作部ユニットを支持パネル５の長さ方向両端部に組み込んでいる。上記照光式スイッチ１３は、上記のほかの部品とともに操作部ユニットを構成しているため、照光式スイッチ１３およびほかの部品の故障時の部品交換、メンテナンスなどが容易になる。
【００３３】
各電動式移動棚の側板に正対して支持パネル５の左端部に設けられている操作ボタン９は右方向移動操作ボタン、支持パネル５の右端部に設けられている操作ボタン９は左方向移動操作ボタンとし、それぞれの操作ボタンを押圧操作している間はその電動式移動棚を右または左に向かって移動させるように制御回路を構成することができる。そして、それぞれの操作ボタン９を押圧操作している間は、その操作ボタン９によって押圧操作されている照光式スイッチ１３に内蔵されている発光素子の動作を制御して、移動棚が移動中であることを表示する。
【００３４】
照光式スイッチ１３の発光素子による発光動作は、移動棚の動作状況や動作モードに応じて任意に設定し、この設定に応じた制御を行うことができる。例えば、インターロックがかかっているときは照光式スイッチ１３が点滅し、緊急停止しあるいは故障したときは照光式スイッチ１３が連続点灯し、その他の状態では照光式スイッチ１３が消灯する、というように制御することができる。したがって、照光式スイッチ１３の明滅状態によって移動棚の状態を判断することができる。
【００３５】
以上説明した実施例によれば、照光式操作部材としての照光式操作スイッチ１３が操作部材カバー８の介在のもとに取り付けられているため、照光式操作スイッチ１３が点灯すると、照光式操作スイッチ１３から放射される光が操作部材カバー８内で乱反射され、操作部材カバー８全体が点灯したかのように明るくなる。操作部材カバー８は、その台形状の壁８１の一部が移動棚の前後の支柱１の面よりも前側および後ろ側に進出しているため、移動棚相互間に形成されている作業通路内からも操作部材カバー８を視認することができ、操作部材カバー８の明るさあるいは明滅状態を観察することにより移動棚の動作状態、動作モードなどを判別することができる。したがって、移動棚間の作業通路に入って作業を行っている操作者に、移動棚の動作状態や動作モードなどがわからないことによる不安を与えることを防止することができる。
【００３６】
図１において符号８Ａは、操作部材カバー８が移動棚に組み込まれている状態を示しており、符号８１Ａを付しかつ平衡斜線を付した部分は、上記のように操作部材カバー８の明滅状態を作業通路内から視認することができる操作部材カバー８の一部分を示している。
【００３７】
図１乃至図３からもわかるように、操作ボタン９は操作部材カバー８の操作部材支持壁８５に取り付けられていて、操作部材カバー８の窪みの中にある。したがって、移動棚の側板面とほぼ平行な方向からは操作ボタン９を視認することができず、操作ボタン９の明滅状態を視認することも困難である。しかし、図示の実施例によれば、照光式操作スイッチ１３の明滅状態に応じて操作部材カバー８全体が明滅するため、移動棚の側板面とほぼ平行な方向から観察しても操作部材カバー８の明滅状態を視認することができる。
【００３８】
また、支持パネル５の外側面と略同じ面に操作部材カバー８の表示面８７があるため、この表示面８７を移動棚の側板面とほぼ平行な方向から視認することが可能であり、表示面８７の明滅状態を観察することにより、移動棚の動作状態を知ることができる。さらに、操作部材カバー８の支持パネル５との接触縁部にリブを形成すると、このリブが側板面と同一面になり、あるいは側板面から外側に突出するため、上記リブの明滅状態の視認性がよくなる。
【００３９】
操作部材カバー８の前記壁８１は、支持パネル５５に形成されているＶ字形の切除部５５を埋めている。したがって、上記壁８１は、操作ボタン９を操作するために操作部材カバー８の前記窪み内に挿入した手指が奥まで進入することを阻止する役目もしている。
【実施例２】
【００４０】
次に、本発明の第２の実施例について説明する。第１の実施例は、操作部材カバー８が樹脂などで製作されていて、照光式操作部材が点灯すると、光が操作部材カバー８の内部を乱反射によって伝わり、操作部材カバー８全体が明るくなるものであった。しかし、操作部材カバー８は、照光式操作部材が有している発光素子の明滅にしたがって明滅するものであればよく、必ずしも内部を光が乱反射しながら進行するものでなくてもよい。図４は、操作部材カバー８の素材が、その表面で光を反射することによって照光式操作部材が点灯したことを知らしめることができるようにしたものである。
【００４１】
図４において、操作部材カバー８の外形は第１の実施例における操作部材カバー８の外形と同じで、壁８１、傾斜壁８３，８４、操作部材支持壁８５、表示面８７を有し、操作部材支持壁８５に照光式操作スイッチの操作ボタン９が配置されている。図４に示す第２の実施例が前記第１の実施例と異なる点は、操作部材カバー８の素材が不透明の材質あるいはほとんど光を透過させない材質のものであり、表面が光を反射しやすいように、例えば鏡面仕上げされ、さらに、無数の孔８８が全体にわたって等間隔に形成されている点である。
【００４２】
上記照光式操作スイッチが操作されて光源が点灯すると、光源から放射される光が上記無数の孔８８から表面側に漏れ、この漏れた光が操作部材カバー８の表面でランダムに反射される。操作部材カバー８の表面でランダムに反射される光の一部は壁８１の孔８８から裏面側に漏れ、壁８１の裏面側が明るくなる。壁８１の裏面側は、図１において符号８１Ａを付して示すように、移動棚間の作業通路内から視認することができるため、移動棚間の作業通路内において上記壁８１の明滅状態を観察することにより移動棚の動作状態を知ることができる。移動棚間の作業通路の外からは、支持パネル５の外側面と略平行に近い方向からであっても、表示面８７の明滅状態を視認することができ、移動棚の動作状態を知ることができる。
【００４３】
このように、第２の実施例においても、前記第１の実施例と同等の効果を得ることができる。
【産業上の利用可能性】
【００４４】
本発明に係る電動式移動棚の制御方式は任意であり、実施例に示したような、操作スイッチを押圧操作している間だけ移動する制御方式に限定されるものではない。
【００４５】
照光式操作スイッチの点滅にしたがって操作部材カバーを点滅させる仕組みは、前記第１の実施例のような操作部材カバー内の光の乱反射、第２の実施例のような光の透過あるいは漏光によるもののほか、これら乱反射、透過、漏光などを任意に組み合わせたものであってもよい。
【符号の説明】
【００４６】
１    支柱
３    棚板
５    支持パネル
６    上側板
７    下側板
８    操作部材カバー
９    操作ボタン
１０    操作部材支持体
１３    照光式操作スイッチ（照光式操作部材）
５１    折り返し部
５４    切除部
５５    切除部
８１    壁
８２    接触縁
８３    傾斜壁
８４    傾斜壁
８５    操作部材支持壁
【図１】
0005947033.tif 000002
【図２】
0005947033.tif 000003
【図３】
0005947033.tif 000004
【図４】
0005947033.tif 000005